(57)【要約】【課題】  大雨による災害を未然に防ぐための冠水や洪水の予測情報を高い精度でユーザに判りやすく提供することが可能な情報配信システム、およびこれに利用する情報配信装置、情報配信方法、情報配信用プログラムを提供する。【解決手段】  実施形態によれば情報配信装置は環境情報監視部と予測情報生成部と予測画像情報生成部と情報送信部とを有する。環境情報監視部は降雨量または河川水位値が閾値を超えたか否かを監視する。予測情報生成部は降雨量または河川水位値が閾値を超えたと判定されたときに所定時間後の降雨量または河川の水位の予測情報を生成する。予測画像情報生成部は予測情報に基づいて所定時間後の道路または河川の予測画像情報を生成する。情報送信部は道路形状情報または河川形状情報と予測画像情報とを取得し携帯端末の撮影装置で撮影された映像情報上の該当する位置に予測画像情報を重畳して表示させるために携帯端末に送信する。【選択図】図１
2012194738.tif 000002
【特許請求の範囲】
【請求項１】
監視対象の地域内に設置された雨量計、河川水位計、および気象レーダと、情報配信装置と、携帯端末とが接続された情報配信システムにおいて、
前記雨量計は、設置された場所の雨量の降雨量を計測する計測部を有し、
前記河川水位計は、設置された場所の河川の水位値を計測する計測部を有し、
前記気象レーダは、設置された場所の気象状況情報を取得する情報取得部を有し、
前記情報配信装置は、
前記監視対象の地域の道路または河川の形状情報を記憶する形状情報記憶部と、
前記雨量計で計測された降雨量または前記河川水位計で計測された河川の水位値が、予め設定された閾値を超えたか否かを監視する環境情報監視部と、
前記環境情報監視部において降雨量または河川の水位が前記閾値を超えたと判定されたときに、所定時間後の降雨量または河川の水位の予測情報を前記気象レーダで取得された気象状況情報に基づいて生成する予測情報生成部と、
前記予測情報生成部で生成された予測情報に基づいて、前記所定時間後の道路または河川の予測画像情報を生成する予測画像情報生成部と、
前記形状記憶部に記憶された道路形状情報または河川形状情報と、前記予測画像情報生成部で生成された予測画像情報とを取得して前記携帯端末に送信する情報送信部と、
を有し、
前記携帯端末は、
撮影処理を行い映像情報を生成する撮影部と、
前記撮影部で実行されている撮影の角度情報を取得する角度センサと、
前記情報配信装置から送信された道路形状情報または河川形状情報と、前記ジャイロセンサで取得された角度情報に基づいて、前記撮影部で撮影された映像情報の該当位置に、前記予測画像情報を重畳した表示情報を生成する表示情報生成部と、
前記表示情報生成部で生成された表示情報を表示する表示部と
を備えることを特徴とする情報配信システム。
【請求項２】
撮影装置を有する携帯端末にネットワークを介して接続されるとともに、監視対象の地域内に設置された雨量計、河川水位計、および気象レーダに接続された情報配信装置において、
前記監視対象の地域の道路または河川の形状情報を記憶する形状情報記憶部と、
前記雨量計で計測された降雨量または前記河川水位計で計測された河川の水位値が、予め設定された閾値を超えたか否かを監視する環境情報監視部と、
前記環境情報監視部において降雨量または河川の水位が前記閾値を超えたと判定されたときに、所定時間後の降雨量または河川の水位の予測情報を前記気象レーダで取得された気象状況情報に基づいて生成する予測情報生成部と、
前記予測情報生成部で生成された予測情報に基づいて、前記所定時間後の道路または河川の予測画像情報を生成する予測画像情報生成部と、
前記形状記憶部に記憶された道路形状情報または河川形状情報と、前記予測画像情報生成部で生成された予測画像情報とを取得し、前記携帯端末の撮影装置で撮影された映像情報上に重畳して表示させるために前記携帯端末に送信する情報送信部と、
を備えることを特徴とする情報配信装置。
【請求項３】
前記携帯端末の位置情報をユーザ位置情報として記憶するユーザ位置情報記憶部をさらに有し、
前記雨量計または河川水位計は、監視対象の地域内のエリアごとに複数設置され、
前記環境情報監視部は、複数の前記雨量計で計測された降雨量、または複数の前記河川水位計で計測された水位値に基づいて、降雨量または水位値が予め設定された閾値を超えたか否かを前記雨量計ごとまたは前記河川水位計ごとに監視し、
前記環境情報監視部において降雨量または水位値が閾値を超えたと判定された雨量計または河川水位計があるときに、当該降雨量または水位値が前記閾値を超えたことにより冠水または洪水のおそれがあるエリア内にある携帯端末を前記ユーザ位置情報記憶部に記憶されたユーザ位置情報に基づいて抽出する警報対象端末情報抽出部を有し、
前記情報送信部は、前記道路形状情報または河川形状情報と、前記予測画像情報とを、前記警報対象端末情報抽出部で抽出した携帯端末に送信する
ことを特徴とする請求項２に記載の情報配信装置。
【請求項４】
前記情報送信部は、前記環境情報監視部において降雨量または水位値が前記閾値を超えたと判定されたときに警報メッセージ情報を前記携帯端末に送信し、この警報メッセージ情報を送信したことにより表示用情報要求が送信された携帯端末に対し、前記道路形状情報または河川形状情報と、前記予測画像情報とを送信する
ことを特徴とする請求項２または３に記載の情報配信装置。
【請求項５】
撮影装置を有する携帯端末にネットワークを介して接続されるとともに、監視対象の地域内に設置された雨量計、河川水位計、および気象レーダに接続された情報配信装置が、
前記監視対象の地域の道路または河川の形状情報を記憶する形状情報記憶ステップと、
前記雨量計で計測された降雨量または前記河川水位計で計測された河川の水位値が、予め設定された閾値を超えたか否かを監視する環境情報監視ステップと、
前記環境情報監視ステップにおいて降雨量または河川の水位が前記閾値を超えたと判定されたときに、所定時間後の降雨量または河川の水位の予測情報を前記気象レーダで取得された気象状況情報に基づいて生成する予測情報生成ステップと、
前記予測情報生成ステップで生成された予測情報に基づいて、前記所定時間後の道路または河川の予測画像情報を生成する予測画像情報生成ステップと、
前記形状記憶ステップで記憶された道路形状情報または河川形状情報と、前記予測画像情報生成ステップで生成された予測画像情報とを取得し、前記携帯端末の撮影装置で撮影された映像情報上の該当する位置に前記予測画像情報を重畳して表示させるために前記携帯端末に送信する情報送信ステップと、
を有することを特徴とする情報配信方法。
【請求項６】
撮影装置を有する携帯端末にネットワークを介して接続されるとともに、監視対象の地域内に設置された雨量計、河川水位計、および気象レーダに接続された情報配信装置に、
前記監視対象の地域の道路または河川の形状情報を記憶する形状情報記憶機能と、
前記雨量計で計測された降雨量または前記河川水位計で計測された河川の水位値が、予め設定された閾値を超えたか否かを監視する環境情報監視機能と、
前記環境情報監視機能により降雨量または河川の水位が前記閾値を超えたと判定されたときに、所定時間後の降雨量または河川の水位の予測情報を前記気象レーダで取得された気象状況情報に基づいて生成する予測情報生成機能と、
前記予測情報生成機能により生成された予測情報に基づいて、前記所定時間後の道路または河川の予測画像情報を生成する予測画像情報生成機能と、
前記形状記憶機能により記憶された道路形状情報または河川形状情報と、前記予測画像情報生成機能により生成された予測画像情報とを取得し、前記携帯端末の撮影装置で撮影された映像情報上の該当する位置に前記予測画像情報を重畳して表示させるために前記携帯端末に送信する情報送信機能と、
を実行させる情報配信用プログラム。
【発明の詳細な説明】
【技術分野】
【０００１】
本発明は、大雨による災害を未然に防ぐための予測情報を配信する情報配信システム、およびこれに利用する情報配信装置、情報配信方法、情報配信用プログラムに関する。
【背景技術】
【０００２】
従来、大雨による洪水や冠水の被害を未然に防止するために、洪水予測情報を提供する技術がある。
【０００３】
例えば、過去の洪水情報を蓄積しておき、これを利用して現在の降雨状況から将来の洪水状況を予測したテキスト情報を生成し、地図画像上の該当位置に表示することで洪水予測情報としてユーザに提供することが可能になる。
【先行技術文献】
【特許文献】
【０００４】
【特許文献１】特開２００２−３６７０６５号公報
【発明の概要】
【発明が解決しようとする課題】
【０００５】
しかし、近年は突発的な集中豪雨が多く発生しており、これにより短時間で急激に道路が冠水したり河川が増水することがある。
【０００６】
このような事態に対応するため、さらに高い精度でユーザに判りやすく洪水等の予測情報を提供することが求められている。
【０００７】
本発明は上記事情に鑑みてなされたものであり、大雨による災害を未然に防ぐための冠水や洪水の予測情報を、高い精度でユーザに判りやすく提供することが可能な情報配信システム、およびこれに利用する情報配信装置、情報配信方法、情報配信用プログラムを提供することを目的とする。
【課題を解決するための手段】
【０００８】
上記目的を達成するための実施形態によれば情報配信装置は、環境情報監視部と予測情報生成部と予測画像情報生成部と情報送信部とを有する。環境情報監視部は、降雨量または河川水位値が閾値を超えたか否かを監視する。予測情報生成部は、降雨量または河川水位値が閾値を超えたと判定されたときに所定時間後の降雨量または河川の水位の予測情報を生成する。予測画像情報生成部は、予測情報に基づいて所定時間後の道路または河川の予測画像情報を生成する。情報送信部は、道路形状情報または河川形状情報と予測画像情報とを取得し携帯端末の撮影装置で撮影された映像情報上の該当する位置に予測画像情報を重畳して表示させるために携帯端末に送信する。
【図面の簡単な説明】
【０００９】
【図１】一実施形態による情報配信装置を利用した防災システムの構成を示す全体図である。
【図２】一実施形態による情報配信装置の構成を示すブロック図である。
【図３】一実施形態による情報配信装置を利用した防災システムの動作を示すシーケンス図である。
【図４】一実施形態による情報配信装置により配信された情報に基づいて生成した表示情報を携帯端末に表示した状態を示す表示図である。
【発明を実施するための形態】
【００１０】
〈一実施形態による情報提供システムを利用した防災システムの構成〉
本発明の一実施形態による情報提供システムを利用した防災システムの構成について、図１を参照して説明する。
【００１１】
本実施形態による防災システム１は、情報配信システム１０と、複数のユーザがそれぞれ携帯する携帯端末３０とが、公衆回線網４０を介して接続されることにより構成されている。
【００１２】
情報配信システム１０は、データベースサーバ１１と、監視対象の地域内のエリアごとに設置された複数の雨量計１２、河川水位計１３、および気象レーダ１４と、情報配信装置としての監視制御装置１５と、ダイヤルアップサーバ１６と、回線終端装置１７と、音声通報サーバ１８と、回線終端装置１９とを有する。
【００１３】
データベースサーバ１１は、道路形状ＤＢ１１１と、河川形状ＤＢ１１２と、防災情報ＤＢ１１３と、ユーザ位置情報ＤＢ１１４と、予測情報ＤＢ１１５と、ＡＲ（augmented reality）画像ＤＢ１１６とを有する。
【００１４】
道路形状ＤＢ１１１は、監視対象の地域の道路形状情報を格納する。
【００１５】
河川形状ＤＢ１１２は、監視対象の地域の河川の断面積や河川構造等の情報を含む河川形状情報を格納する。
【００１６】
防災情報ＤＢ１１３は、後述する監視制御装置１５において生成された防災情報を格納する。
【００１７】
ユーザ位置情報ＤＢ１１４は、監視制御装置１５において取得された各携帯端末３０の位置情報をユーザ位置情報として格納する。
【００１８】
予測情報ＤＢ１１５は、監視制御装置１５において生成された予測降雨量情報や、河川の予測水位情報、予測天気状況を格納する。
【００１９】
ＡＲ画像ＤＢ１１６は、監視制御装置１５において生成されたＡＲ予測画像情報を格納する。
【００２０】
各雨量計１２は、設置された場所の降雨量を計測し、得られた降雨量を監視制御装置１５に送信する。
【００２１】
各水位計１３は、設置された場所の河川の水位を計測し、得られた水位値を監視制御装置１５に送信する。
【００２２】
気象レーダ１４は、設置された場所の雨、雲、風等に関する気象状況情報を取得し、監視制御装置１５に送信する。
【００２３】
監視制御装置１５は、図２に示すように、環境情報監視部１５１と、防災情報生成部１５２と、ユーザ位置情報取得部１５３と、警報対象端末情報抽出部１５４と、予測情報生成部１５５と、ＡＲ予測画像生成部１５６と、情報送信部１５７とを有する。
【００２４】
環境情報監視部１５１は、各雨量計１２で計測された降雨量、各水位計１３で計測された水位値、および各気象レーダ１４で取得された気象状況情報を取得し、取得した降雨量または水位値が、冠水のおそれや洪水のおそれがある値として予め設定された警戒値である降雨量の閾値、または水位の閾値を超えたか否かを監視する。
【００２５】
防災情報生成部１５２は、環境情報監視部１５１において計測値が閾値を超えたと判定された雨量計１２、水位計１３の識別情報を取得するとともに、これらの計測値および対応するエリアの気象レーダの気象状況情報に基づいて、冠水または洪水のおそれがあるエリアを地図上に示すハザードマップ情報を生成する。そして、この識別情報およびハザードマップ情報を、防災情報として防災情報ＤＢ１１３に送信する。
【００２６】
ユーザ位置情報取得部１５３は、環境情報監視部１５１において降雨量または水位値が閾値を超えたと判定されたときに、ユーザの携帯端末３０の位置情報を要求する位置情報取得要求を生成して各携帯端末３０に送信する。そして、位置情報取得要求の送信により取得された各携帯端末３０の識別情報および位置情報を、ユーザ位置情報ＤＢ１１２に送信する。
【００２７】
警報対象端末情報抽出部１５４は、ユーザ位置情報ＤＢ１１２に格納された複数の携帯端末３０の情報および防災情報ＤＢ１１３の防災情報に基づいて、当該降雨量または河川の水位が閾値を超えたことにより冠水または洪水のおそれがあるエリア内にある携帯端末３０の識別情報を取得する。
【００２８】
予測情報生成部１５５は、環境情報監視部１５１において閾値を超えたと判定された降雨量および水位値と、気象レーダ１４で取得された気象状況情報とに基づいて、当該冠水または洪水のおそれがあるエリアの所定時間後（例えば１０分後、３０分後）の予測降雨量情報、河川の予測水位情報、予測天気状況を生成し、予測情報ＤＢ１１５に送信する。
【００２９】
ＡＲ予測画像生成部１５６は、予測情報ＤＢ１１５に記憶された予測降雨量情報および河川の予測水位情報をＡＲ技術用に変換してＡＲ予測画像情報を生成し、ＡＲ画像ＤＢ１１６に送信する。
【００３０】
情報送信部１５７は、警報対象端末情報抽出部１５４で取得した携帯端末３０の識別情報を、警報対象端末情報として音声通報サーバ１８に送信する。また、冠水のおそれがあるエリアの道路形状情報を道路形状ＤＢ１１１から取得し、また洪水のおそれがあるエリアの河川形状情報を河川形状ＤＢ１１２から取得するとともに、該当するエリアのＡＲ予測画像情報をＡＲ画像ＤＢ１１６から取得し、警報対象端末情報抽出部１５４で抽出された携帯端末３０に送信する。
【００３１】
ダイヤルアップサーバ１６は、ダイヤルアップ接続により回線終端装置１７を介して公衆回線網４０に接続し、携帯端末３０との通信を行う。
【００３２】
音声通報サーバ１８は、冠水または洪水のおそれがあることをユーザに通知するための音声情報による警報メッセージ情報を予め記憶し、監視制御装置１５から冠水または洪水のおそれがあるエリア内にある携帯端末３０の識別情報を受信すると、これらの携帯端末３０に、記憶した警報メッセージ情報を送信する。携帯端末３０との通信は、回線終端装置１９を介して公衆回線網４０に接続することにより行う。
【００３３】
これらの装置のうち、データベースサーバ１１と、雨量計１２、水位計１３、および気象レーダ１４と、監視制御装置１５と、ダイヤルアップサーバ１６と、音声通報サーバ１８とは、ＬＡＮ２０を介して接続されている。
【００３４】
また携帯端末３０は、通信部３１と、位置情報取得部３２と、撮像部３３と、角度センサとしてのジャイロセンサ３４と、表示情報生成部３５と、出力部３６とを有する。
【００３５】
通信部３１は、公衆回線網４０を介して情報配信システム１０との通信を行う。
【００３６】
位置情報取得部３２は、ＧＰＳ（Global Positioning System）機能を利用して自端末の位置情報を取得する。
【００３７】
撮像部３３は、カメラ装置であり、ユーザの操作により被写体の撮影を行い、映像情報を生成する。
【００３８】
ジャイロセンサ３４は、自端末の角速度を検出することにより、撮像部３３で実行されている撮影の角度情報を取得する。
【００３９】
表示情報生成部３５は、通信部３１を介して情報配信システム１０から受信した冠水または洪水のおそれがあるエリアの道路形状情報または河川形状情報と、該当するエリアのＡＲ予測画像情報と、位置情報取得部３２で取得された自端末の位置情報と、ジャイロセンサ３４で取得された角度情報とに基づいて、撮像部３３で生成された映像情報上の道路形状情報または河川形状情報に該当する位置にＡＲ予測画像情報を図形情報として重畳した表示情報を生成する。
【００４０】
出力部３６は、通信部３１を介して情報配信システム１０から音声通報サーバ１８介して送信された警報メッセージ情報を音声情報として出力し、また表示情報生成部３５で生成された表示情報を表示する。
【００４１】
〈一実施形態による防災システムの動作〉
次に、本実施形態による防災システム１の動作について、図３のシーケンス図を参照して説明する。
【００４２】
本実施形態の防災システム１により防災情報をユーザの携帯端末に提供するに際し、情報配信システム１０のデータベースサーバ１１の道路形状ＤＢ１１１には道路形状情報が予め格納され、河川形状ＤＢ１１２には監視対象の地域の河川の断面積や河川構造等の情報を含む河川形状情報が予め格納されているものとする。
【００４３】
これらの情報が格納されている状態で防災情報の提供処理が開始されると、まず各雨量計１２において設置された場所の降雨量が計測され、水位計１３において設置された場所の河川の水位が計測され、また気象レーダ１４において設置された場所の雨、雲、風等に関する気象状況情報が取得され（Ｓ１）、得られた情報が監視制御装置１５に送信される（Ｓ２）。
【００４４】
監視制御装置１５では、雨量計１２、水位計１３、および気象レーダ１４から送信された降雨量、水位値、および気象状況情報が環境情報監視部１５１で取得され、これらの降雨量、水位値が、冠水または洪水のおそれがある値として予め設定された警戒値である降雨量の閾値、または水位の閾値を超えたか否かが雨量計１２ごと、水位計１３ごとに監視される。
【００４５】
そして、環境情報監視部１５１においていずれかの雨量計１２または水位計１３で降雨量または水位値が閾値を超えたと判定されたときには、防災情報生成部１５２において閾値を超えたと判定された雨量計１２、水位計１３の識別情報が取得されるとともに、これらの情報および対応するエリアの気象レーダの気象状況情報に基づいてハザードマップ情報が生成される。そしてこの識別情報およびハザードマップ情報は、防災情報としてデータベースサーバ１１に送信され、防災情報ＤＢ１１３に格納される。
【００４６】
また、環境情報監視部１５１により降雨量または水位値が閾値を超えたと判定されると、ユーザ位置情報取得部１５３によりユーザの携帯端末３０の位置情報を要求する位置情報取得要求が生成されて各携帯端末３０に送信される（Ｓ３）。
【００４７】
各携帯端末３０では、位置情報取得要求が取得されると、位置情報取得部３２によりＧＰＳ機能が利用されて自端末の位置情報が取得される。取得された位置情報は、通信部３１を介して情報配信システム１０に送信され（Ｓ４）、データベースサーバ１１のユーザ位置情報ＤＢ１１４に格納される。
【００４８】
次に、監視制御装置１５の警報対象端末情報抽出部１５４により、ユーザ位置情報ＤＢ１１２に格納された複数の携帯端末３０の情報および防災情報ＤＢ１１３の防災情報に基づいて、当該降雨量または水位値が閾値を超えたことにより冠水または洪水のおそれがあるエリア内にある携帯端末３０が抽出され、この携帯端末３０の識別情報が抽出される（Ｓ５）。
【００４９】
抽出された携帯端末３０の識別情報は、情報送信部１５７により警報対象端末情報として音声通報サーバ１８に送信される（Ｓ６）。
【００５０】
音声通報サーバ１８には、冠水または洪水のおそれがあることをユーザに通知するための音声情報による警報メッセージ情報が予め記憶されており、監視制御装置１５から冠水または洪水のおそれがあるエリア内にある携帯端末３０の識別情報が受信されると、これらの携帯端末３０に、記憶された警報メッセージ情報が回線終端装置１９を介して送信される（Ｓ７）。
【００５１】
また、監視制御装置１５の予測情報生成部１５５では、環境情報監視部１５１において閾値を超えたと判定された降雨量、水位値、および気象状況情報に基づいて、当該冠水または洪水のおそれがあるエリアの所定時間後（例えば１０分後、３０分後）の予測降雨量情報、河川の予測水位情報、予測天気状況が生成され、データベースサーバ１１の予測情報ＤＢ１１５に格納される。
【００５２】
さらに、監視制御装置１５のＡＲ予測画像生成部１５６では、予測情報ＤＢ１１５に記憶された予測降雨量情報および河川の予測水位情報がＡＲ技術用に変換されてＡＲ予測画像情報が生成され、データベースサーバ１１のＡＲ画像ＤＢ１１６に格納される（Ｓ８）。
【００５３】
次に情報送信部１５７では、該当するエリアの道路形状情報が道路形状ＤＢ１１１から取得され、また河川形状情報が河川形状ＤＢ１１２から取得されるとともに、ＡＲ予測画像情報がＡＲ画像ＤＢ１１６から取得され、警報対象端末情報抽出部１５４で抽出された携帯端末３０に送信される（Ｓ９）。
【００５４】
警報メッセージ情報を受信した携帯端末３０では、音声、表示、または振動等を出力するためのアプリケーションが自動起動され、情報配信システム１０から送信された警報メッセージ情報が通信部３１を介して受信され出力部３６から出力される（Ｓ１０）。この警報メッセージ情報にテキスト情報を含めるようにし、これが携帯端末３０の出力部３６で表示されるようにしてもよい。
【００５５】
そして携帯端末３０に警報メッセージ情報が出力されたことによりユーザの操作により撮像部３３の撮影機能が起動され、冠水のおそれのある道路や洪水のおそれのある河川が撮影されると、この撮影による映像情報が生成されるとともにジャイロセンサ３４において実行されている撮影の角度情報が取得される。
【００５６】
次に表示情報生成部３５において、通信部３１を介して情報配信システム１０から受信した冠水または洪水のおそれがあるエリアの道路形状情報または河川形状情報と、該当するエリアのＡＲ予測画像情報と、位置情報取得部３２で取得された自端末の位置情報と、ジャイロセンサ３４で取得された角度情報とに基づいて、撮像部３３で生成された映像情報上の道路形状情報または河川形状情報に該当する位置にＡＲ予測画像情報を図形情報として重畳した表示情報が生成される（Ｓ１１）。
【００５７】
表示情報生成部３５で生成された表示情報は、出力部３６により表示されてユーザに提供される（Ｓ１２）。
【００５８】
表示された表示情報の一例を、図４に示す。図４は、携帯端末３０の出力部３６にユーザにより洪水のおそれがある河川が撮影されたときに表示された表示情報であり、撮影された映像情報３０１に取得された１０分後の河川の水位を示すＡＲ予測画像情報３０２および３０分後の河川の水位を示すＡＲ予測画像情報３０３が重畳されて表示されている。
【００５９】
またこれらのＡＲ予測画像情報には対応するテキスト情報を含めておき、このテキスト情報が表示されるようにしてもよい。例えば、３０分後の河川の水位を示すＡＲ予測画像情報３０３にテキスト情報「危険水域」３０４を対応させて含めておくことにより、図４に示すようにこれらの情報が対応づけられて表示される。
【００６０】
またこの表示情報は、ステップＳ１０で取得されたテキスト情報による警報メッセージ情報３０５、例えば図４に示すようなテキスト情報「急な増水が予測されます。避難してください。」が表示されるようにしてもよい。
【００６１】
また、情報配信システム１０から送信する情報に予測情報ＤＢ１１５に格納された予測降雨量情報や予測天気状況等を含めておき、これらの予測降雨量情報や予測天気状況等を示すテキスト情報３０６が表示情報上に表示されるようにしてもよい。例えば、１０分後の予測降雨量「５ｍｍ」、予測天気状況「雨」、３０分後の予測降雨量「６ｍｍ」、予測天気状況「雨」を情報配信システム１０から携帯端末３０に送信することにより、これらが図４に示すように表示情報上に表示される。
【００６２】
以上の本実施形態によれば、ユーザが携帯端末の撮像機能を利用して道路や河川を撮影することにより、携帯端末の表示部に表示された映像上に冠水または洪水に関する予測画像情報が重畳されて表示され、ユーザは注意すべき災害の状況を視覚的に容易に把握することができる。
【００６３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６４】
例えば、上述した実施形態においては、情報配信システムから冠水または洪水のおそれがあるエリア内にある携帯端末に警報メッセージ情報を送信する際に、道路形状情報や河川形状情報、ＡＲ予測画像情報等も送信し、これらを受信した携帯端末において必要に応じて表示情報を生成して出力する場合について説明したが、先に警報メッセージ情報のみを送信しておき、これを受信した携帯端末においてユーザが撮影処理を行ったときに表示用情報要求が情報配信システム１０に送信され、これに基づいて道路形状情報や河川形状情報、ＡＲ予測画像情報等が情報配信システム１０から携帯端末３０に送信されるようにしてもよい。このように構成することにより、携帯端末や通信回線の負荷を軽減させることができる。
【００６５】
また、上記実施形態の監視制御装置１５の環境情報監視部１５１、防災情報生成部１５２、ユーザ位置情報取得部１５３、警報対象端末情報抽出部１５４、予測情報生成部１５５、AR予測画像生成部１５６、および情報送信部１５７の機能構成をプログラム化してコンピュータに組み込むことにより、当該コンピュータを情報配信装置として機能させる情報配信用プログラムを構築することも可能である。
【符号の説明】
【００６６】
１…防災システム
１０…情報配信システム
１１…データベースサーバ
１２…雨量計
１３…水位計
１４…気象レーダ
１５…監視制御装置
１６…ダイヤルアップサーバ
１７…回線終端装置
１８…音声通報サーバ
１９…回線終端装置
２０…ＬＡＮ
３０…携帯端末
３１…通信部
３２…位置情報取得部
３３…撮像部
３４…ジャイロセンサ
３５…表示情報生成部
３６…出力部
４０…公衆回線網
１１１…道路形状ＤＢ
１１２…河川形状ＤＢ
１１３…防災情報ＤＢ
１１４…ユーザ位置情報ＤＢ
１１５…予測情報ＤＢ
１１６…ＡＲ画像ＤＢ
１５１…環境情報監視部
１５２…位置情報取得要求送信部
１５２…防災情報生成部
１５３…ユーザ位置情報取得部
１５４…警報対象端末情報抽出部
１５５…予測情報生成部
１５６…ＡＲ予測画像生成部
１５７…情報送信部
【図１】
2012194738.tif 000003
【図２】
2012194738.tif 000004
【図３】
2012194738.tif 000005
【図４】
2012194738.tif 000006